(57)【特許請求の範囲】
【請求項１】
洋風便器の後部上面に設置される便座ボックスであって、内部に温水タンクが設置されている便座ボックスにおいて、
該温水タンクの底部に水抜き栓が設けられ、該水抜き栓の下方の便座ボックス底板に、該水抜き栓を操作するための開口が設けられており、
該水抜き栓は、閉状態にあるときに該底板の下面よりも上方に配置されており、
開栓時に、該水抜き栓に設けられたストッパが該温水タンクの底面に当接することにより、該水抜き栓の脱落が防止される便座ボックスであって、
前記水抜き栓は、上方に突設された軸部（４５）と、該軸部（４５）の上端から側方に張り出す第１ストッパ（４６）と、該軸部（４５）の高さ方向の途中から側方に張り出す第２ストッパ（４７）とを備えており、該第１ストッパ（４６）は、該第２ストッパ（４７）よりも、該軸部（４５）からの突出長さが大きなものとなっており、
前記温水タンクの底面には、該軸部（４５）が挿入された開口（５０）が設けられており、該開口（５０）の内周縁には、該第２ストッパ（４７）の通過を許容する切欠部（５１）が設けられており、
止水時には、該水抜き栓を上昇させ、該第２ストッパ（４７）が該切欠部（５１）を通過した後、該水抜き栓を軸部（４５）回りに回して該第２ストッパ（４７）を該開口（５０）の縁部上面に係止させ、これにより該水抜き栓を閉状態とし、
該水抜き栓が閉状態にあるときに、該水抜き栓を軸部（４５）回りに回して該第２ストッパ（４７）を該切欠部（５１）に合致させると、該第２ストッパ（４７）が該切欠部（５１）を通過し、該水抜き栓が下方へ移動し、これにより該水抜き栓が開状態となり、
該水抜き栓が下方へ移動した際、前記第１ストッパ（４６）が該切欠部（５１）の縁部に当り、これにより該水抜き栓の脱落が防止されることを特徴とする便座ボックス。
【請求項２】
請求項１において、前記温水タンクの底部に上下方向に延在する筒部が設けられており、
前記水抜き栓は、該筒部内を上下方向に進退可能とされると共に、該筒部の内周面に水密的に接触した止水状態と、該筒部から下方に離脱した放水状態とをとるシール部を有していることを特徴とする便座ボックス。
【請求項３】
請求項１又は２において、前記温水タンクの底面から水抜き栓を取り巻く囲壁が下方に突設されており、
該囲壁が前記便座ボックスの底板に当接又は近接していることを特徴とする便座ボックス。
【請求項４】
請求項１ないし３のいずれか１項において、洋風便器に対し着脱可能であることを特徴とする便座ボックス。
【請求項５】
請求項１ないし４のいずれか１項の便座ボックスを備えてなる温水洗浄装置。
【発明の詳細な説明】
【０００１】
【発明の属する技術分野】
本発明は、洋風便器の後部上面に設置される便座ボックスであって、内部に温水タンクが設置された便座ボックスに関する。詳しくは、該温水タンク内から水を抜くための水抜き栓を備えた便座ボックスに関する。また、本発明はこの便座ボックスを備えた温水洗浄装置に関する。
【０００２】
【従来の技術】
洋風便器に温水洗浄装置を設置する場合、洋風便器の後部上面に便座ボックスを設置することがある。この便座ボックス内には、温水を噴出するためのノズル及び温水供給機構が組み込まれると共に、更に必要に応じて温風乾燥機構や脱臭機構等が組み込まれる。この便座ボックスは、通常、その内部に温水タンクが設置されている。
【０００３】
第５図は、このように便座ボックスを設置して洋風便器に温水洗浄装置を取り付けた従来例を示す斜視図であり、この便座ボックス１０は、洋風便器１１の便鉢の後部上面に設置される本体１２と、本体１２から張り出す張出部１３とを有し、この張出部１３の上面にスイッチパネル（銘板）１４が設けられている。
【０００４】
便座ボックス本体１２には、洗浄ノズル１５，１６及び温風乾燥ファン（図示略）等が設けられている。また、この本体１２には、便座１７、便蓋１８が上下方向に回動可能に取り付けられている。１９は洋風便器１１の最後部上面に設置されたロータンクを示す。
【０００５】
張出部上面のスイッチパネル１４には、肛門洗浄（シャワー洗浄）、ビデ洗浄、温風乾燥等の作動をストップさせるストップスイッチ、肛門洗浄用操作スイッチ（シャワースイッチ）、ビデ洗浄用操作スイッチ、温風を吹き出させるドライスイッチ、洗浄の広がりを調整するためのワイド洗浄入／切スイッチ、洗浄位置前進スイッチ、その後退スイッチ、便座の温度を調整するための便座温度調節スイッチ、洗浄強さを調整するダイヤル、シャワー等の水温を調整する温水温度調節スイッチ等が配置されている。
【０００６】
この従来例にあっては、張出部１３内に温水タンク（図示略）が設置されている。トイレルームの壁に設けられた止水栓２０から水道水がホース２１及び栓２２を介して温水タンク内に導入される。この温水タンクに設けられたヒータにより水が加温されて温水となって貯溜される。前記シャワースイッチ又はビデスイッチが操作されると、この温水タンク内の温水が洗浄ノズル１５又は１６へ供給される。
【０００７】
この温水タンク内から水を抜くために、栓２２は水抜き機能を有している。栓２２を回すと、この栓２２の下部に設けられた水抜き口から水が放出される。
【０００８】
なお、このような水抜きは、温水洗浄装置の製造工場でのテスト後、あるいはトイレルーム内に設置された温水洗浄装置の修理、交換時、寒冷地における凍結防止のためなどに行われる。
【０００９】
【発明が解決しようとする課題】
上記従来の便座ボックスにあっては、栓２２が便座ボックス１０の張出部１３の底面から下方に突出しているため、この便座ボックス１０を床などの上に直置きしたときに栓２２に大きな力が加えられ、栓２２等に損傷が生じる恐れがある。
【００１０】
本発明は、このような損傷が確実に防止される便座ボックス及び温水洗浄装置を提供することを目的とする。
【００１１】
【課題を解決するための手段】
本発明の便座ボックスは、洋風便器の後部上面に設置される便座ボックスであって、内部に温水タンクが設置されている便座ボックスにおいて、該温水タンクの底部に水抜き栓が設けられ、該水抜き栓の下方の便座ボックス底板に、該水抜き栓を操作するための開口が設けられており、該水抜き栓は、閉状態にあるときに該底板の下面よりも上方に配置されており、開栓時に、該水抜き栓に設けられたストッパが該温水タンクの底面に当接することにより、該水抜き栓の脱落が防止される便座ボックスであって、前記水抜き栓は、上方に突設された軸部（４５）と、該軸部（４５）の上端から側方に張り出す第１ストッパ（４６）と、該軸部（４５）の高さ方向の途中から側方に張り出す第２ストッパ（４７）とを備えており、該第１ストッパ（４６）は、該第２ストッパ（４７）よりも、該軸部（４５）からの突出長さが大きなものとなっており、前記温水タンクの底面には、該軸部（４５）が挿入された開口（５０）が設けられており、該開口（５０）の内周縁には、該第２ストッパ（４７）の通過を許容する切欠部（５１）が設けられており、止水時には、該水抜き栓を上昇させ、該第２ストッパ（４７）が該切欠部（５１）を通過した後、該水抜き栓を軸部（４５）回りに回して該第２ストッパ（４７）を該開口（５０）の縁部上面に係止させ、これにより該水抜き栓を閉状態とし、該水抜き栓が閉状態にあるときに、該水抜き栓を軸部（４５）回りに回して該第２ストッパ（４７）を該切欠部（５１）に合致させると、該第２ストッパ（４７）が該切欠部（５１）を通過し、該水抜き栓が下方へ移動し、これにより該水抜き栓が開状態となり、該水抜き栓が下方へ移動した際、前記第１ストッパ（４６）が該切欠部（５１）の縁部に当り、これにより該水抜き栓の脱落が防止されることを特徴とするものである。
【００１２】
本発明の温水洗浄装置は、この便座ボックスを備えたものである。
【００１３】
かかる便座ボックス及びそれを備えた温水洗浄装置は、水抜き栓が便座ボックスの下面よりも下方に突出していないので、便座ボックスを床に直置きしても水抜き栓が床に当ることがなく、水抜き栓の損傷が防止される。また、水抜き栓が外から見えないので見栄えがよい。
【００１４】
本発明では、水抜き栓の抜け出し防止用のストッパが設けられているので、水抜き栓の紛失などが防止される。
【００１５】
本発明では、温水タンクの底部に上下方向に延在する筒部が設けられており、前記水抜き栓は、該筒部内を上下方向に進退可能とされると共に、該筒部の内周面に水密的に接触した止水状態と、該筒部から下方に離脱した放水状態とをとるシール部を有していることが好ましい。
【００１６】
また、本発明では、温水タンクの底面から水抜き栓を取り巻く囲壁が下方に突設されており、該囲壁が便座ボックスの底板に当接又は近接していることが好ましい。この便座ボックス及び温水洗浄装置によれば、温水タンクからの水抜き時に水が便座ボックスの底面の上に広がることが防止される。
【００１７】
本発明は、便座ボックスが洋風便器に対し着脱可能である場合に適用するのに好適である。便座ボックスを洋風便器から取り外すことにより、温水タンクから水抜き作業を容易に行うことができる。
【００１８】
【発明の実施の形態】
以下、図面を参照して実施の形態について説明する。第１図（ａ）は本発明の第１の実施の形態に係る便座ボックスの斜視図であり、第１図（ｂ）は水抜き栓の斜視図、第２，３図は水抜き機構部分の断面図、第４図は水抜き栓の底面図である。
【００１９】
この便座ボックス３０は、洋風便器の後部上面に設置されるものであり、便座３１と便蓋３２とが上下方向回動可能に取り付けられている。
【００２０】
この便座ボックス３０内に温水タンク３３が設置され、その底面に水抜き栓４０が設置されている。また、この便座ボックス３０内に洗浄ノズル等が設置され、温水洗浄装置が構成される。
【００２１】
この水抜き栓４０は、円柱部４１と、該円柱部４１の外周面に周設されたＯリング装着溝４２と、該Ｏリング装着溝４２に装着されたＯリング４３（第１図では図示略）と、該円柱部４１の下端から外方に張り出すように設けられたハンドル４４と、円柱部４２の上端面から上方に突設された軸部４５と、該軸部４５の上端から側方に張り出す１対の第１ストッパ４６と、該軸部４５の高さ方向の途中から側方に張り出す１対の第２ストッパ４７とを備えている。なお、軸部４５は、１対の凹部４８が上下方向に延設された水平断面形状が略８字形状の非円柱形となっているが、これは後述の通り、開栓時に凹部４８を通して水を流出させるためである。
【００２２】
温水タンク３３の底面４９には、水抜き栓４０の軸部４５が挿入される開口５０が設けられている。この開口５０の内周縁に直径方向に切り込まれた形状の１対の切欠部５１が設けられている。この切欠部５１は第２ストッパ４７を通過させるためのものである。第１ストッパ４６は、水抜き栓４０が強く上方に押されたときに該切欠部５１を通過しうるように弾性変形可能となっている。
【００２３】
なお、第１ストッパ４６は第２ストッパ４７よりも突出長さが若干大きくなっており、上方から第１ストッパ４６が下降してきたときには、この第１ストッパ４６の先端が切欠部５１の縁部に第３図（ｂ）の如く当接し、水抜き栓４０が開口５０から抜け出すことが防止される。
【００２４】
この開口５０の縁部上面には、切欠部５１，５１の中間付近に、第２のストッパ４７が当る突起５２が設けられている。
【００２５】
温水タンク３３の底面４９からは、開口５０と同軸的に筒部５３が下方に突設されていると共に、この筒部５３の外周を取り囲むように囲壁５４が下方に突設されている。囲壁５４の下方への突出高さは筒部５３の下方への突出高さよりも大きい。この囲壁５４の下端は便座ボックス３０の底板５５の上面に当接している。なお、囲壁５４の下端は便座ボックス底板５５の上面から若干離隔してもよい。また、この囲壁５４の下端にゴム等の弾性体を設け、底板５５に水密的に当接させるようにしてもよい。
【００２６】
この開口５０の下方の便座ボックス底板５５には、開口５６が設けられている。この開口５６は、ハンドル４４が通過でき、また、ハンドル４４を指先で操作し得る大きさとなっている。なお、この開口５６を図示よりも大きくし、囲壁５４の下端をこの開口５６内に入り込ませてもよい。
【００２７】
水抜き栓４０を上昇させた場合、Ｏリング４３が前記筒部５３内に入り込み、その内周面に水密的に接触する。
【００２８】
第２ストッパ４７が切欠部５１を通過した後、ハンドル４４を掴んで約９０°回すと、該第２ストッパ４７が突起５２に当って停止する。この状態にあっては、第２ストッパ４７が開口５０の縁部上面に係止されており、水抜き栓４０は下方への移動が阻止され、第２図に示す止水状態となる。
【００２９】
この状態から水抜き栓４０を約９０°回して第２ストッパ４７を切欠部５１に合致させると、該第２ストッパ４７が切欠部５１を通過し、該水抜き栓４０が下方移動する。
【００３０】
この結果、第３図の如く、Ｏリング４３が筒部５３の下方に離脱する。これにより、温水タンク３３内の水が開口５０，５６を通って放出（水抜き）される。この際、囲壁５４が設けられているため、この放出水が温水タンク底面部と便座ボックス底板５５との間に流れ込んで広がることがない。
【００３１】
なお、水抜き栓４０が下方移動した際、第１ストッパ４６が切欠部５１の縁部に当り、水抜き栓４０が脱落しない。このため、水抜き栓４０の紛失も防止される。
【００３２】
水抜きが終了した後は、水抜き栓４０を押し上げ、第２ストッパ４７が切欠部５１を通過した後、該水抜き栓４０を約９０°回すことにより、第２図の止水状態に復帰する。
【００３３】
この第２図の状態にあっては、水抜き栓４０の下端のハンドル４４は便座ボックス底板５５の下面よりも上位に位置しているので、この便座ボックス３０を床などの上に直に置いても水抜き栓４０が床等に当ることがなく、水抜き栓４０やその近傍部分の損傷が防止される。
【００３４】
なお、第４図の通り、ハンドル４４には一方向に延出する凸部４４ａが設けられており、回転操作させ易い。また、このハンドル４４の底面に六角形の穴４４ｂや一文字形状の凹溝４４ｃが設けられているので、六角レンチやコイン等を挿入してハンドル４４を強力に回すことも可能である。さらに、凸部４４ａの突出方向と同方向を示すマーク４４ｄが設けられており、水抜き栓４４の向きが確認し易いものとなっている。
【００３５】
以下、第６〜８図を参照して第２の実施の形態について説明する。第６図は第２の実施の形態に係る便座ボックスの温水タンクの底部及び水抜き栓４０Ａの斜視図、第７，８図は水抜き機構部分の断面図である。
【００３６】
この水抜き栓４０Ａは、円柱部４１と、該円柱部４１の外周面に周設されたＯリング装着溝４２と、該Ｏリング装着溝４２に装着されたＯリング４３と、該円柱部４１の下端から外方に張り出すように設けられたハンドル４４と、円柱部４２の上端面から上方に突設された軸部４５Ａと、該軸部４５Ａの上端から側方に張り出す１対の第１ストッパ４６と、該軸部４５の高さ方向の途中から側方に張り出す１対の第２ストッパ４７とを備えている。なお、軸部４５Ａは円柱形となっており、開栓時に水を流出させるための貫通孔４５Ｈが軸心線方向に貫設されている。ストッパ４６，４７の構成は第１の実施の形態と全く同一である。
【００３７】
温水タンク３３の底面４９には、水抜き栓４０の軸部４５が挿入される開口５０が設けられている。この開口５０の構成は第１〜３図の第１の実施の形態と全く同一であり、切欠部５１も全く同一である。
【００３８】
この開口５０を跨ぐように筒状の櫓部６０が底面４９と一体に設けられている。この櫓部６０は、開口５０と同軸状に該底面４９から上方に突設された円筒部６１と、該円筒部６１の上端の天井面部分６２と、該天井面部分６２の下面中央から下方に突設された円柱形の凸部６３と、該凸部６３の外周面に装着されたＯリング６４と、該天井面部分６２を上下方向に貫通した通水孔６５とを有している。この通水孔６５は凸部６３と円筒部６１との間に配置されている。
【００３９】
この凸部６３の直径は、前記水抜き栓４０Ａの貫通孔４５Ｈの上部に入り込み、且つＯリング６４が該貫通孔４５Ｈの内周面に水密的に接触するように選定されている。
【００４０】
この第２の実施の形態のその他の構成は第１の実施の形態と同一であり、同一符号は同一部分を示している。
【００４１】
このように構成された第２の実施の形態においては、第７図の通り、水抜き栓４０Ａを上昇させた場合、Ｏリング４３が前記筒部５３内に入り込み、その内周面に水密的に接触する。また、貫通孔４５Ｈが凸部６３と嵌合し、Ｏリング６４が貫通孔４５Ｈの内周面に水密的に接触する。
【００４２】
第１の実施の形態と同じく、第２ストッパ４７が切欠部５１を通過した後、ハンドル４４を掴んで約９０°回すと、該第２ストッパ４７が突起５２に当って停止する。この状態にあっては、第２ストッパ４７が開口５０の縁部上面に係止されており、水抜き栓４０は下方への移動が阻止され、第７図に示す止水状態となる。
【００４３】
この状態から水抜き栓４０Ａを約９０°回して第２ストッパ４７を切欠部５１に合致させると、該第２ストッパ４７が切欠部５１を通過し、該水抜き栓４０が下方移動する。
【００４４】
この結果、第８図の如く、Ｏリング４３が筒部５３の下方に離脱する。また、貫通孔４５Ｈが凸部６５から離脱する。これにより、温水タンク３３内の水が水抜き孔６５を通って櫓部６０内に流入し、貫通孔４５Ｈを通って放出（水抜き）される。この際、水抜き栓４０Ａの下端が開口５６よりも下位に位置しているので放出水が温水タンク底面部と便座ボックス底板５５との間に流れ込んで広がることがない。
【００４５】
なお、水抜き栓４０Ａが下方移動した際、第１ストッパ４６が切欠部５１の縁部に当り、水抜き栓４０Ａが脱落しない。このため、水抜き栓４０Ａの紛失も防止される。
【００４６】
水抜きが終了した後は、水抜き栓４０Ａを押し上げ、第２ストッパ４７が切欠部５１を通過した後、該水抜き栓４０Ａを約９０°回すことにより、第７図の止水状態に復帰する。
【００４７】
この第７図の状態にあっては、水抜き栓４０Ａの下端のハンドル４４は便座ボックス底板５５の下面よりも上位に位置しているので、この便座ボックス３０を床などの上に直に置いても水抜き栓４０Ａが床等に当ることがなく、水抜き栓４０やその近傍部分の損傷が防止される。
【００４８】
【発明の効果】
以上の通り、本発明によると、床などの上に直に置いても水抜き栓部分に損傷が生じない便座ボックスと、該便座ボックスを有した温水洗浄装置が提供される。また、該水抜き栓の配置を便器上面と当接する位置にある場合であっても、便座ボックスを便器に対して簡単に取り外せる着脱手段を設けているため、ボルト、ナット等を外すことなく、温水タンクから水抜き作業を容易に行うことができる。
【図面の簡単な説明】
【図１】（ａ）図は第１の実施の形態に係る便座ボックスの斜視図であり、（ｂ）図は水抜き栓の斜視図である。
【図２】（ａ）図は、止水状態における温水タンクの底部付近の断面図であり、（ｂ）図は（ａ）図のＢ−Ｂ線に沿う断面図である。
【図３】（ａ）図は、放水状態における温水タンクの底部付近の断面図であり、（ｂ）図は（ａ）図のＢ−Ｂ線に沿う断面図である。
【図４】水抜き栓の底面図である。
【図５】従来の温水洗浄装置を有した洋風便器の斜視図である。
【図６】第２の実施の形態に係る温水タンク底部付近の斜視図である。
【図７】第２の実施の形態を示すものであり、（ａ）図は、止水状態における温水タンクの底部付近の断面図であり、（ｂ）図は（ａ）図のＢ−Ｂ線に沿う断面図である。
【図８】第２の実施の形態を示すものであり、（ａ）図は、放水状態における温水タンクの底部付近の断面図であり、（ｂ）図は（ａ）図のＢ−Ｂ線に沿う断面図である。
【符号の説明】
１０  便座ボックス
１１  洋風便器
１２  便座ボックス本体
１３  張出部
１４  スイッチパネル
１５，１６  洗浄ノズル
１７  便座
１８  便蓋
１９  ロータンク
３０  温水タンク
４０，４０Ａ  水抜き栓
４３  Ｏリング
４４  ハンドル
４５，４５Ａ  軸部
４６  第１ストッパ
４７  第２ストッパ
４９Ｈ  貫通孔
５０  開口
５３  筒部
５４  囲壁
５６  開口
６０  櫓部
６１  円筒部
６２  天井面部分
６３  凸部
６４  Ｏリング
６５  水抜き孔
【図１】
0004341126.tif 000002
【図２】
0004341126.tif 000003
【図３】
0004341126.tif 000004
【図４】
0004341126.tif 000005
【図５】
0004341126.tif 000006
【図６】
0004341126.tif 000007
【図７】
0004341126.tif 000008
【図８】
0004341126.tif 000009